(57)【要約】      （修正有）【課題】指を汚したくない作業の合間に、手早く、指を汚さずに食品などの対象物を摘むことができる摘み具を提供する。【解決手段】摘み具１は、第１当接片１０と、第２当接片２０と、連結部３０を有し、第１当接片１０は、指腹に当接する第１外面と、対象物に当接する第１内面１２とを有する。第２当接片２０は、指腹に当接する第２外面２１と、対象物に当接する第２内面２２とを有する。連結部３０は、指さし方向Ｄにおいて、間隔を拡縮する動作に対して間隔を復元可能に第１当接片１０と第２当接片２０とを連結する。第１当接片１０及び第２当接片２０の第１外面、第２外面２１には凹部Ｙｒが形成されている。【選択図】図３
0003160621.tif 000002
【実用新案登録請求の範囲】
【請求項１】
対象物と使用者の手指との間に介在して用いられる摘み具であって、
前記手指に沿って指腹に当接する第１外面、及び前記第１外面の反対側に位置しており対象物に当接する第１内面とを有する第１当接片と、
前記手指に沿って指腹に当接する第２外面、及び前記第２外面の反対側に位置しており前記対象物に当接する第２内面とを有し、前記手指に沿った指さし方向において、指先に向かうに連れて前記第１内面と前記第２内面との間隔が広がるように前記第１内面と前記第２内面とを対向させた状態で配置された第２当接片と、
前記指さし方向において、前記間隔を拡縮する動作に対して前記間隔を復元可能に前記第１当接片と前記第２当接片とを連結する連結部と
を有し、
前記第１当接片及び前記第２当接片の前記指さし方向に沿った長さは、前記手指の指先から付け根までの長さよりも短く、
前記第１当接片及び前記第２当接片には、前記手指が前記第１当接片及び前記第２当接片における所定の当接位置からずれることを防止するずれ防止手段が形成されている
ことを特徴とする摘み具。
【請求項２】
前記ずれ防止手段は、前記第１当接片及び前記第２当接片において、前記指腹に対応する領域に形成された窪みを含む請求項１に記載の摘み具。
【請求項３】
前記ずれ防止手段は、
前記第１外面の外縁部の少なくとも一部に形成されるとともに前記第１外面に交差する方向に突出した第１壁部と、
前記第２外面の外縁部の少なくとも一部に形成されるとともに前記第２外面に交差する方向に突出した第２壁部とを含む請求項１に記載の摘み具。
【請求項４】
前記第１壁部及び前記第２壁部は、前記第１外面及び第２外面における前記指さし方向に交差する交差方向において同じ側に位置する外縁部に形成される請求項３に記載の摘み具。
【請求項５】
前記第１当接片及び前記第２当接片の前記指さし方向における指先側の厚みは、前記第１当接片及び前記第２当接片の前記指腹に対応する領域に形成された窪みの周囲の厚みよりも厚い請求項１に記載の摘み具。
【請求項６】
少なくとも前記第１当接片及び前記第２当接片の先端部における前記指さし方向に直交する方向の長さは、前記指さし方向における指先側に向かうに連れて減少する請求項１乃至５の何れか一項に記載の摘み具。
【請求項７】
前記第１内面と前記第２内面の少なくとも一方には、凹部及び／又は凸部が形成されている請求項１乃至６の何れか一項に記載の摘み具。
【請求項８】
前記第１当接片、前記第２当接片、及び／又は前記連結部の少なくとも一部には、貫通孔が形成されている請求項１乃至７の何れか一項に記載の摘み具。
【請求項９】
前記連結部の内面には、前記指さし方向に交差する方向に沿って複数の溝が形成されている請求項１乃至８の何れか一項に記載の摘み具。
【考案の詳細な説明】
【技術分野】
【０００１】
本考案は、使用者が食品などの対象物を摘む際に、対象物と手指との間に介在して用いられる摘み具に関する。
【背景技術】
【０００２】
従来、食物などを、指を汚さないように摘むための道具として、指を覆う袋状のカバー部と、カバー部同士を連結する連結部とを有する指カバーが提案されている（特許文献１参照）。
【先行技術文献】
【特許文献】
【０００３】
【特許文献１】特開２００９−２４２８１（第１図）
【考案の概要】
【考案が解決しようとする課題】
【０００４】
しかし、特許文献１に記載された従来の指カバーには、以下のような問題点があった。すなわち、従来の指カバーは、爪側を含む全周に亘って手指を覆い隠す構造を有する。そのため、例えば、パソコン操作などの事務作業、自動車の運転、機械の操作などを行いながら従来の指カバーを用いて食品を食べようとすると、カバー部に手指を抜き差ししなければならず、この動作を繰り返し行うことは、使用者にとって煩雑であった。
【０００５】
そこで、本考案は、指を汚したくない作業の合間に、手早く、指を汚さずに食品などの対象物を摘むことができる摘み具を提供することを目的とする。
【課題を解決するための手段】
【０００６】
上述した目的を達成するために、本考案の第１の特徴は、対象物と使用者の手指との間に介在して用いられる摘み具（摘み具１）であって、前記手指（手指Ｍ）に沿って指腹（指腹Ｍａ）に当接する第１外面（第１外面１１）、及び前記第１外面の反対側に位置しており対象物に当接する第１内面（第１内面１２）とを有する第１当接片（第１当接片１０）と、前記手指に沿って指腹に当接する第２外面（第２外面２１）、及び前記第２外面の反対側に位置しており前記対象物に当接する第２内面（第２内面２２）とを有し、前記手指に沿った指さし方向（指さし方向Ｄ）において、指先に向かうに連れて前記第１内面と前記第２内面との間隔（間隔ｓ）が広がるように前記第１内面と前記第２内面とを対向させた状態で配置された第２当接片（第２当接片２０）と、前記指さし方向において、前記間隔を拡縮する動作に対して前記間隔を復元可能に前記第１当接片と前記第２当接片とを連結する連結部（連結部３０）とを有し、前記第１当接片及び前記第２当接片の前記指さし方向に沿った長さ（長さＬ）は、前記手指の指先から付け根までの長さよりも短く、前記第１当接片及び前記第２当接片には、前記手指が前記第１当接片及び前記第２当接片における所定の当接位置からずれることを防止するずれ防止手段が形成されていることを要旨とする。
【０００７】
第１の特徴によれば、第１当接片と第２当接片とが、連結部によって、第１内面と第２内面との間隔を拡縮する動作に対して間隔を復元可能に連結されており、第１外面と第２外面に形成された、窪められた領域に使用者の指腹が収まるように形成されている。
【０００８】
このように、第１当接片と第２当接片の第１外面，第２外面の上部は、カバーなどにより覆われておらず、外部に露呈されているが、復元可能な連結部により、使用者が手指の間隔を拡縮する動作に追従して、摘み具の第１当接片と第２当接片とが拡縮する。また、前記第１当接片及び前記第２当接片には、ずれ防止手段が形成されていることにより、使用者の手指が第１当接片及び第２当接片における所定の当接位置からずれることを防止できる。このため、使用者の手指に馴染みやすい。
【０００９】
従って、摘み具によれば、指を汚したくない作業の合間に、手早く、指を汚さずに食品などの対象物を摘むことができる。
【００１０】
本考案の第２の特徴は、第１の特徴に係り、前記ずれ防止手段は、前記第１当接片及び前記第２当接片において、前記指腹に対応する領域に形成された窪み（凹部Ｙｒ）を含むことを要旨とする。第２の特徴によれば、使用者の手指の指腹が窪みに収まり、指先が引っかかりうる。従って、摘み具が手指にフィットし易くなる。
【００１１】
本考案の第３の特徴は、第１の特徴に係り、前記ずれ防止手段は、前記第１外面の外縁部の少なくとも一部に形成されるとともに前記第１外面に交差する方向に突出した第１壁部と、前記第２外面の外縁部の少なくとも一部に形成されるとともに前記第２外面に交差する方向に突出した第２壁部とを含むことを要旨とする。
【００１２】
また、本考案の第４の特徴は、第３の特徴に係り、前記第１壁部及び前記第２壁部は、前記第１外面及び第２外面における前記指さし方向に交差する交差方向において同じ側に位置する外縁部に形成されることを要旨とする。
【００１３】
本考案の特徴によれば、使用者の手指が第１壁部と第２壁部とに引っかかるため、摘み具が指と指との間で安定する。
【００１４】
本考案の第５の特徴は、第２の特徴に係り、前記第１当接片及び前記第２当接片の前記指さし方向における指先側の厚み（厚みｄ３）は、前記第１当接片及び前記第２当接片の前記指腹に対応する領域に形成された窪みの周囲の厚み（厚みｄ２）よりも厚いことを要旨とする。第５の特徴によれば、指腹が窪みに収まるとともに、指先側の厚みが増した部分に、使用者の指先が当接し、指先が引っかかりうる。従って、摘み具が手指にフィットし易くなる。
【００１５】
本考案の第６の特徴は、第１乃至第５の何れか一つの特徴に係り、少なくとも前記第１当接片及び前記第２当接片の先端部における前記指さし方向に直交する方向（直交方向ＣＤ）の長さ（幅Ｗ）は、前記指さし方向における指先側に向かうに連れて減少することを要旨とする。第３の特徴によれば、指先の輪郭に沿った形状に形成されているため、使用者が対象物を摘み易い。
【００１６】
本考案の第７の特徴は、第１乃至第６の何れか一つの特徴に係り、前記第１内面と前記第２内面の少なくとも一方には、凹部及び／又は凸部（凸部４１）が形成されていることを要旨とする。第４の特徴によれば、凹部及び／又は凸部によって、対象物が引っかかるため、保持性が高められる。
【００１７】
本考案の第８の特徴は、第１乃至第７の何れか一つの特徴に係り、前記第１当接片、前記第２当接片、及び前記連結部の少なくとも一部には、貫通孔（貫通孔５１）が形成されていることを要旨とする。第５の特徴によれば、摘み具が誤飲された場合でも、貫通孔によって気道が確保されるため、安全性を高められる。
【００１８】
本考案の第９の特徴は、第１乃至第８の何れか一つの特徴に係り、前記連結部の内面には、前記指さし方向に交差する方向に沿って複数の溝（溝３１，３２）が形成されていることを要旨とする。第６の特徴によれば、溝の数により、第１当接片と第２当接片とが対象物を摘みやすい角度になるように、連結部の弾性力、剛性などを調整することができる。
【考案の効果】
【００１９】
本考案によれば、指を汚したくない作業の合間に、手早く、指を汚さずに食品などの対象物を摘むことができる摘み具を提供できる。
【図面の簡単な説明】
【００２０】
【図１】図１は、本考案の第１実施形態に係る摘み具の平面図である。
【図２】図２は、本考案の第１実施形態に係る摘み具の側面図である。
【図３】図３は、本考案の第１実施形態に係る摘み具の斜視図である。
【図４】図４は、本考案の第１実施形態に係る摘み具の使用時の様子を説明する断面図である。
【図５】図５は、本考案の第１実施形態に係る摘み具の使用時の様子を説明する斜視図である。
【図６】図６は、本考案の第１実施形態に係る摘み具の変形例の斜視図である。
【図７】図７は、本考案の第１実施形態に係る摘み具の変形例の斜視図である。
【図８】図８は、本考案の第２実施形態に係る摘み具の斜視図である。
【図９】図９は、図８に示す矢印Ａ方向から見た斜視図である。
【考案を実施するための形態】
【００２１】
次に、本考案に係る摘み具の実施形態について、図面を参照しながら説明する。具体的には、（１）第１実施形態、（１−１）摘み具の構成、（１−２）作用・効果、（１−３）摘み具の変形例、（２）第２実施形態、（２−１）摘み具の構成、（２−２）作用・効果、（３）その他の実施形態について説明する。
【００２２】
（１）第１実施形態
（１−１）摘み具の構成
図１〜図３を参照して、本考案の実施形態の摘み具１について説明する。図１は、本考案の実施形態に係る摘み具の平面図である。図２は、本考案の実施形態に係る摘み具の側面図である。図３は、本考案の実施形態に係る摘み具の斜視図である。
【００２３】
摘み具１は、例えば、食品などの対象物を手指を使って食する際に、対象物と使用者の手指との間に介在して用いられる。摘み具１は、第１当接片１０と、第２当接片２０と、連結部３０を有する。
【００２４】
第１当接片１０は、手指Ｍ（図４参照）に沿って指腹Ｍａに当接する第１外面１１と、第１外面１１の反対側に位置しており、対象物に当接する第１内面１２とを有する。
【００２５】
第２当接片２０は、手指Ｍに沿って指腹Ｍａに当接する第２外面２１と、第２外面２１の反対側に位置しており、対象物に当接する第２内面２２とを有する。第２当接片２０は、手指Ｍに沿った指さし方向Ｄにおいて、指先に向かうに連れて第１内面１２と第２内面２２との間隔ｓが広がるように第１内面１２と第２内面２２とを対向させた状態で配置されている。
【００２６】
連結部３０は、間隔ｓを拡縮する動作に対して間隔ｓを復元可能に第１当接片１０と第２当接片２０とを連結する。実施形態の摘み具１では、図２に示すように、側面視において、連結部３０は、指さし方向Ｄに対して傾斜している。指さし方向Ｄとのなす角度は、角度θである。また、連結部３０の内面には、指さし方向Ｄに交差する方向に沿って複数の溝３１，３２が形成されている。
【００２７】
第１当接片１０及び第２当接片２０において、指腹Ｍａに対応する領域Ｙｒには、窪みが形成されている。すなわち、第１外面１１，第２外面２１には、凹部Ｙｒが形成されている。凹部Ｙｒは、ずれ防止手段を構成する。
【００２８】
第１当接片１０及び第２当接片２０の指さし方向Ｄに沿った長さＬは、手指Ｍの指先から付け根までの長さよりも短い。第１当接片１０及び第２当接片２０の第１外面１１，第２外面２１の上部はカバーなどにより覆われてはおらず、第１外面１１，第２外面２１が外部に露呈されている。
【００２９】
第１当接片１０の第１内面１２、及び第２当接片２０の第１内面２２には、対向する他方の第１内面側に突出する凸部４１が形成されている。なお、凸部４１に代わって、第１外面側１１，２１側に窪んだ凹部が形成されていてもよい。また、凹部と凸部の両方が形成されていてもよい。
【００３０】
第１当接片１０の指さし方向Ｄにおける指先側の先端部（指先側部分という）１１ａ、及び第２当接片２０の指さし方向Ｄにおける指先側の先端部（指先側部分という）２１ａにおいて、第１当接片１０及び第２当接片２０の指さし方向Ｄに直交する方向（直交方向ＣＤ、図２参照）の長さ（すなわち、摘み具１の幅Ｗ）は、指さし方向Ｄにおける指先側に向かうに連れて減少する。実施形態では、指先側部分１１ａ（２１ａ）が略円弧状に形成されている。
【００３１】
図４は、摘み具１の使用時の様子を説明する断面図である。図４に示すように、第１当接片１０及び第２当接片２０の指さし方向Ｄにおける指先側部分１１ａ（２１ａ）の厚みｄ３は、第１当接片１０及び第２当接片２０の指腹Ｍａに対応する領域（凹部Ｙｒ）の周囲の部分１１ｂ（２１ｂ）厚みｄ２よりも厚い。図４では、凹部Ｙｒの厚みｄ１で表される。ｄ３＞ｄ２＞ｄ１である。
【００３２】
摘み具１の材料としては、例えば、シリコーン樹脂、ポリウレタン樹脂、熱可塑性樹脂、などを使用できる。軟質の合成樹脂であれば、使用可能である。また、第１当接片１０及び第２当接片２０の指さし方向Ｄに沿った長さＬは、例えば、２０ｍｍ〜８０ｍｍとすることができる。また、第１内面１２と第２内面２２との間隔ｓは、最も広いところで、例えば、１０ｍｍ〜８０ｍｍとすることができる。連結部３０と指さし方向Ｄとのなす角度θの範囲は、１５°〜１００°とすることができる。
【００３３】
（１−２）作用・効果
上述した摘み具１によれば、第１当接片１０と第２当接片２０とが連結部３０によって、第１内面１２と第２内面２２との間隔ｓを拡縮する動作に対して、間隔ｓを復元可能に連結されている。また、第１外面１１と第２外面２１に形成された凹部Ｙｒに使用者の指腹Ｍａが収まるように形成されている。このように、摘み具１は、第１当接片１０と第２当接片２０の第１外面１１と第２外面２１の上部は、カバーなどにより覆われておらず、外部に露呈されているが、上述したように、間隔ｓを拡縮する動作を復元可能にする連結部３０により、使用者が手指Ｍの間隔を拡縮する動作に追従して、摘み具１の第１当接片１０と第２当接片２０とが拡縮する。このため、使用者の手指に馴染みやすい。
【００３４】
従って、摘み具１によれば、指を汚したくない作業の合間に、手早く、指を汚さずに食品などの対象物を摘むことができる。
【００３５】
更に、摘み具１によれば、第１当接片１０と第２当接片２０の第１外面１１と第２外面２１の上部は、カバーなどにより覆われていないため、使用者の爪が長い場合、爪に付け爪が装着されている場合、爪に装飾が施されている場合であっても使用できる。
【００３６】
また、摘み具１の指さし方向Ｄに沿った長さＬを、例えば、２０ｍｍ〜８０ｍｍとすることにより、摘み具１が平均的な手のサイズにおいて、人差し指と親指との間の指股に収まるため、摘み具１を手指に介在させて使用できる。また、第１内面１２と第２内面２２との間隔ｓは、最も広いところで、例えば、１０ｍｍ〜８０ｍｍとすることができる。また、連結部３０と指さし方向Ｄとのなす角度θの範囲は、１５°〜１００°とすることができる。この範囲から外れる場合には、摘み具１を手指に介在させることが困難になり、フィット性が悪化するとともに、使用者にとって扱いにくくなる。
【００３７】
第１当接片１０及び第２当接片２０の指さし方向Ｄにおける指先側の厚みｄ３は、凹部Ｙｒの周囲の厚みｄ２よりも厚くすることにより、指腹Ｍａが凹部Ｙｒに収まるとともに、指先側の厚みが増した部分に、使用者の指先が当接し、指先が引っかかりうる。従って、摘み具１のフィット性を高めることができる。
【００３８】
実施形態の摘み具１においては、以下の値に限定されないが、一例として、指先側部分１１ａ（２１ａ）の厚みｄ３は、３．８ｍｍとすることができる。凹部Ｙｒの周囲の部分１１ｂ（２１ｂ）の厚みｄ２は、２．６ｍｍとすることができる。また、凹部Ｙｒの厚みｄ１は、２．２ｍｍとすることができる。また、０．９ｍｍ≦（ｄ３−ｄ２）≦１．５ｍｍとすることが好ましい。この範囲を外れる場合には、平均的な使用者の指腹から爪下部までの高さに合わなくなるため、第１当接片１０及び第２当接片２０の一部が爪に接触する可能性があり、使用者に違和感を与えることになる。
【００３９】
摘み具１において、連結部３０の内面には、指さし方向Ｄに交差する方向に沿って複数の溝３１，３２が形成される。この溝の数により、第１当接片１０と第２当接片２０とが対象物を摘みやすい角度になるように、連結部の弾性力、剛性などを調整することができる。また、溝３１，３２の深さを調節することによっても、連結部の弾性力、剛性などを調整することができる。
【００４０】
また、摘み具１の指先側部分１１ａ，２１ａにおいて、幅Ｗは、指さし方向における指先側に向かうに連れて減少する。すなわち、摘み具１は、指先の輪郭に沿った形状に形成されているため、使用者が対象物を摘み易い。
【００４１】
また、第１当接片１０の第１内面１２と第２当接片２０の第２内面２２には、凸部４１が形成されている。この凸部４１により、対象物が引っかかるため、保持性が高められる。
【００４２】
（１−３）摘み具の変形例
上述した摘み具は、以下に示すように変形することができる。図６，７は、摘み具の変形例の斜視図である。図６に示す摘み具２は、第１当接片１０及び第２当接片２０の指さし方向Ｄに沿った長さを長さＬ’（Ｌ’＞Ｌ）にした例である。摘み具２が親指と人差し指で挟持される場合には、第１当接片１０及び第２当接片２０の長さを延ばすことにより、連結部３０が親指と人差し指の指股に当接し易くなるため、使用者は摘み具２を安定して挟持できる。
【００４３】
図７に示す摘み具３は、第１当接片１０及び第２当接片２０の少なくとも一部に、貫通孔５１が形成されている。貫通孔５１は、連結部３０に形成されていてもよい。万一、摘み具３が誤飲された場合でも、貫通孔５１によって気道が確保される。
【００４４】
（２）第２実施形態
（２−１）摘み具の構成
本考案の第２実施形態について、図８，図９を参照して説明する。図８は、本考案の第２実施形態に係る摘み具の斜視図である。図９は、図８に示す矢印Ａ方向から見た斜視図である。第２実施形態として示す摘み具１００は、ずれ防止手段の形態が摘み具１と異なる。
【００４５】
摘み具１００は、第１当接片１１０と、第２当接片１２０と、連結部１３０を有する。第１当接片１１０は、手指の指腹に当接する第１外面１１１と、第１外面１１１の反対側に位置しており対象物に当接する第１内面１１２とを有する。第２当接片１２０は、手指の指腹に当接する第２外面１２１と、第２外面１２１の反対側に位置しており対象物に当接する第２内面１２２とを有する。第１当接片１１０の第１内面１１２、及び第２当接片１２０の第１内面１２２には、対向する他方の第１内面側に突出する凸部１４１が形成されている。
【００４６】
連結部１３０は、第１当接片１１０と第２当接片１２０との間隔ｓを拡縮する動作に対して間隔ｓを復元可能に第１当接片１１０と第２当接片１２０とを連結する。連結部１３０の内面には、指さし方向Ｄに交差する方向に沿って複数の溝１３１，１３２が形成されている。また、連結部１３０には、貫通孔１５１が形成されている。
【００４７】
第２実施形態として示す摘み具１００は、第１壁部１６１と第２壁部１６２とを有する。第１壁部１６１は、第１外面１１１の外縁部１１１ｃの少なくとも一部に形成される。第２壁部１６２は、第２外面１２１の外縁部１２１ｃの少なくとも一部に形成される。
【００４８】
実施形態では、第１壁部１６１は、第１外面１１１の外縁部１１１ｃのうち指さし方向Ｄに沿った部分に形成されるとともに第１外面１１１に交差する方向に突出している。第２壁部１６２は、第２外面１２１の外縁部１２１ｃのうち指さし方向Ｄに沿った部分に形成されるとともに第２外面１２１に交差する方向に突出している。第１壁部１６１及び第２壁部１６２は、ずれ防止手段を構成する。
【００４９】
第１壁部１６１及び第２壁部１６２は、第１外面１１１及び第２外面１２１における指さし方向Ｄに交差する交差方向Ｗにおいて同じ側に位置する外縁部に形成される。この「同じ側」とは、使用状態における摘み具１００の上側である。また、使用者が摘み具１００を把持した状態において、小指側の部分の反対側の部分である。
【００５０】
第２実施形態では、第１当接片１１０の第１外面１１１，第２当接片１２０の第２外面１２１には、凹部Ｙｒが形成されている。凹部Ｙｒもまた、ずれ防止手段を構成する。
【００５１】
（２−２）作用・効果
摘み具１００は、第１当接片１１０と第２当接片１２０の第１外面１１１と第２外面１２１の上部がカバーなどで覆われておらず、外部に露呈されているが、上述したように、間隔ｓを拡縮する動作を復元可能にする連結部１３０を備えることにより、使用者が手指Ｍの間隔を拡縮する動作に追従して、摘み具１の第１当接片１０と第２当接片２０とが拡縮する。
【００５２】
また、摘み具１００では、第１壁部１６１，第２壁部１６２が使用者の手指に引っかかるため、摘み具１００が指と指との間で安定する。これにより、使用者の手指に馴染みやすい。従って、摘み具１００によれば、指を汚したくない作業の合間に、手早く、指を汚さずに食品などの対象物を摘むことができる。
【００５３】
（３）その他の実施形態
上記のように、実施形態をあげて本考案について記載したが、この開示の一部をなす論述及び図面は、この考案を限定するものであると理解すべきではない。この開示から当業者には、様々な代替実施形態、実施例及び運用技術が明らかとなる。
【００５４】
例えば、摘み具は、手指を使って食する場合に使用されるだけでなく、汚れたものを摘む場合にも使用できる。更には、肌に直接触れると好ましくない液体、薬品、血液などが付着したものを摘む場合にも使用可能である。
【００５５】
連結部３０は、図２に示すように、側面視において、指さし方向Ｄに対して傾斜していると説明した。しかし、連結部３０は、指さし方向Ｄに対して、必ずしも傾斜していなくてもよい。すなわち、指さし方向Ｄとのなす角度が９０°に形成されていてもよい。
【００５６】
実施形態では、ずれ防止手段として、凹部Ｙｒ、第１壁部１６１、第２壁部１６２が形成された摘み具について説明した。しかし、ずれ防止手段は、複数のドット状の突起、刻み目などであってもよい。また、第１壁部１６１，第２壁部１６２だけを備え、凹部Ｙｒが形成されていなくてもよい。
【００５７】
実施形態では、第１壁部１６１は、第１外面１１１の外縁部１１１ｃのうち指さし方向Ｄに沿った部分に形成され、第２壁部１６２は、第２外面１２１の外縁部１２１ｃのうち指さし方向Ｄに沿った部分に形成されると説明した。しかし、第１壁部１６１及び第２壁部１６２は、外縁部１１１ｃ，１２１ｃのうち指先側部分１１ａ，２１ａに形成されていてもよい。
【００５８】
また、外縁部１１１ｃ、１２１ｃの形状は、図に示す形状に限定されない。例えば、第１当接片及び第２当接片は、手指の形状を模した輪郭に形成されていてもよい。
【００５９】
摘み具１の材料としては、軟質の合成樹脂だけでなく、ポリプロピレン樹脂のように硬質の樹脂であっても使用できる。硬質の樹脂を使用する場合、指さし方向及び幅Ｗに交差する交差方向の連結部３０の長さと、溝３１，３２の深さとを調節することにより、弾性力、剛性などを調整することができる。
【００６０】
上述のように、本考案は、ここでは記載していない様々な実施形態等を包含するということを理解すべきである。したがって、本考案はこの開示から妥当な実用新案登録請求の範囲の考案特定事項によってのみ限定されるものである。
【符号の説明】
【００６１】
１…摘み具、  １０…第１当接片、１１…第１外面、  １２…第１内面、  １１ａ，２１ａ…指先側部分、  １１ｂ，２１ｂ…周囲の部分、  ２０…第２当接片、  ２１…第２外面、  ２２…第２内面、  ３０…連結部、  ３１，３２…溝、  ４１…凸部、  ５１…貫通孔、１００…摘み具、  １１０…第１当接片、  １１１…第１外面、  １１２…第１内面１２、  １２０…第２当接片、  １２１…第２外面、  １２２…第２内面、  １３０…連結部、  １３１，３２…溝、  １４１…凸部、  １５１…貫通孔  ｓ…間隔、  Ｍ…手指、  Ｍａ…指腹、Ｙｒ…凹部
【図１】
0003160621.tif 000003
【図２】
0003160621.tif 000004
【図３】
0003160621.tif 000005
【図４】
0003160621.tif 000006
【図５】
0003160621.tif 000007
【図６】
0003160621.tif 000008
【図７】
0003160621.tif 000009
【図８】
0003160621.tif 000010
【図９】
0003160621.tif 000011